(57)【要約】【課題】  移動体を特定して空調自動制御を行うことが可能な空調システムを提供する。【解決手段】  利用者１０毎の条件に合った空調を行うための空調システム１００であって、ＲＦＩＤタグ３０と、空調室内機８０と、空調制御部７５とを備えている。ＲＦＩＤタグ３０は、利用者１０に携帯され、自身を特定するための特定信号を発信する。空調室内機８０は、所定エリアＡ内に存在するＲＦＩＤタグ３０からの特定信号を受信するタグリーダー４０を有し、所定エリアＡを対象として空調を行う。空調制御部７５と、タグリーダー４０との関係で予め定められた特定のＲＦＩＤタグ３０からの前記特定信号をタグリーダー４０が受信した場合に空調室内機８０について空調設定制御を行う。【選択図】        図１
2006342978.tif 000002
【特許請求の範囲】
【請求項１】
所定移動体（１０）毎の条件に合った空調を行うための空調システム（１００）であって、
前記所定移動体（１０）に携帯され、自身を特定するための特定信号を発信する発信機（３０）と、
所定エリア（Ａ１、Ａ２、Ａ３）内に存在する前記発信機（３０）からの前記特定信号を受信する受信機（４０）を有し、前記所定エリア（Ａ１、Ａ２、Ａ３）を対象として空調を行う空調室内機（８０）と、
前記受信機（４０）との関係で予め定められた特定の前記発信機（３０）からの前記特定信号を前記受信機（４０）が受信した場合に前記空調室内機（８０）について空調設定制御を行う空調制御部（７５）と、
を備えた空調システム（１００）。
【請求項２】
前記空調制御部（７５）は、前記受信機（４０）との関係で予め定められた特定の前記発信機（３０）以外の前記発信機（３０）からの前記特定信号を前記受信機（４０）が受信した場合には、反応しないか、空調制御の操作が不能になるようにロックするかのいずれか一方の制御を行う、
請求項１に記載の空調システム（１００）。
【請求項３】
前記所定移動体（１０）毎の好みの空調環境に関する個人別空調データと、前記所定移動体（１０）が携帯する発信機（３０）が発信する前記特定信号と、を関連付けて格納しているデータ記憶部（７２）をさらに備え、
前記空調制御部（７５）は、前記受信機（４０）が前記予め定められた前記発信機（３０）からの前記特定信号を受信した場合に、前記データ記憶部（７２）において前記受信した前記特定信号と対応付けて格納されている前記所定移動体（１０）に関する前記個人別空調データに基づいて前記空調設定制御を行う、
請求項１または２に記載の空調システム（１００）。
【請求項４】
複数の前記空調室内機（８０）がそれぞれ異なる位置に設置されており、
前記データ記憶部（７２）は、複数の前記空調室内機（８０）と、前記複数の空調室内機（８０）それぞれが有している前記受信機（４０）と、を対応付けて格納しており、
前記空調制御部（７５）は、前記発信機（３０）との関係で予め定められた複数の前記受信機（４０）のうちのいずれかが前記発信機（３０）からの特定信号を受信した場合に、前記特定信号を受信した前記受信機（４０）を有する前記空調室内機（８０）について前記空調設定制御を行う、
請求項３に記載の空調システム（１００）。
【請求項５】
前記データ記憶部（７２）は、複数の前記空調室内機（８０）の設置位置に関する位置データを前記空調室内機（８０）の有する前記受信機（４０）と対応付けて格納しており、
前記空調制御部（７５）は、前記所定移動体（１０）によって携帯されている前記発信機（３０）からの前記特定信号を受信した前記受信機（４０）の位置を、前記データ記憶部（７２）に格納されている前記位置データに基づいて特定する、
請求項４に記載の空調システム（１００）。
【請求項６】
前記所定移動体（１０）は、自発的な移動を行わないモノであり、
前記データ記憶部（７２）は、前記モノに付されている前記発信機（３０）が発信する前記特定信号と、前記特定信号を受信する前記受信機（４０）と、を対応付けて格納している、
請求項４または５に記載の空調システム（１００）。
【発明の詳細な説明】
【技術分野】
【０００１】
本発明は、空調システム、特に、移動体毎の条件に適合した空調を行うための空調システムに関する。
【背景技術】
【０００２】
従来より、利用者が所定エリアに存在するか否かを検知することで、当該対象エリアの空調を行うか否かを決定して制御を行う空調システムが考案されている。
例えば、以下の特許文献１に示されているように、赤外線センサによって所定エリア内の人間の存否を把握することで、所定エリアに人間が存在している場合に限って当該所定エリアの空調を行う空調システムが提案されている。
【特許文献１】特開２０００−０３５２４２号公報
【発明の開示】
【発明が解決しようとする課題】
【０００３】
しかし、上述した空調システムでは、所定エリアにどのような人間が存在していても空調運転が実行されてしまう。このため、空調運転を行うべきでないと望む場合であっても、自動的に空調運転が行われてしまい、不必要な空調が行われてしまうことがある。
本発明は上述した点に鑑みてなされたものであり、本発明の課題は、移動体を特定して空調自動制御を行うことが可能な空調システムを提供することにある。
【課題を解決するための手段】
【０００４】
第１発明に係る空調システムは、所定移動体毎の条件に合った空調を行うための空調システムであって、発信機と、空調室内機と、空調制御部とを備えている。発信機は、所定移動体に携帯され、自身を特定するための特定信号を発信する。空調室内機は、所定エリア内に存在する発信機からの特定信号を受信する受信機を有し、所定エリアを対象として空調を行う。空調制御部と、受信機との関係で予め定められた特定の発信機からの特定信号を受信機が受信した場合に空調室内機について空調設定制御を行う。ここでの空調設定制御としては、空調室内機についての、運転停止、運転開始、空調運転モードの変更、設定温度の変更、設定風量の変更、操作入力が無効とされている状態から可能な状態にする変更等の様々な制御が含まれる。また、所定移動体としては、例えば、人間、動物、モノ等が含まれる。ここでのモノとは、何らかの機械や人間によって移動される対象等が考えられる。
【０００５】
従来のシステムでは、所定エリア内に単に人間が存在するというだけで自動的に空調運転が実行されてしまい、空調運転を必要としない場合であっても運転が行われるという問題がある。
これに対して第１発明の空調システムでは、予め定められた発信機からの特定信号を受信した場合に空調設定制御を行う。このため、予め定められた発信機を携帯する所定移動体が所定エリアに存在する時以外は空調室内機の運転を行わなかったり、所定エリア内に存在する場合にはその所定移動体の条件に沿った運転条件で空調を行ったりすることが可能になる。
したがって、所定移動体それぞれを特定して空調自動制御を行うことが可能になる。
【０００６】
第２発明に係る空調システムは、第１発明の空調システムであって、空調制御部は、受信機との関係で予め定められた特定の発信機以外の発信機からの特定信号を受信機が受信した場合には、反応しないか、空調制御の操作が不能になるようにロックするかのいずれか一方の制御を行う。
【０００７】
ここでは、受信機が、予め定められた発信機からの特定信号以外の信号を受信した場合に反応しない等の制御を行うことで、予め設定された所定移動体以外の他の対象については反応しないようにすることができる。これにより、不必要な空調運転制御が行われることを回避することが可能になる。
また、例えば、運転を停止したままにする制御を行う場合には、他人による不必要な運転を規制することで、省エネ効果が得られる。
【０００８】
第３発明に係る空調システムは、第１発明または第２発明の空調システムであって、所定移動体毎の好みの空調環境に関する個人別空調データと、所定移動体が携帯する発信機が発信する特定信号と、を関連付けて格納しているデータ記憶部をさらに備えている。空調制御部は、受信機が予め定められた発信機からの特定信号を受信した場合に、データ記憶部において受信した特定信号と対応付けて格納されている所定移動体に関する個人別空調データに基づいて空調設定制御を行う。なお、ここでの個人空調データとしては、例えば、所定移動体が好む気温、湿度、風量等のデータが含まれる。
ここでは、予め個人別空調データを格納させておくことで、個人別空調データと、所定移動体が携帯している発信機からの特定信号とを対応させて空調設定制御を行うことができる。これにより、各個人それぞれが望む空調環境を提供することが可能になる。
【０００９】
第４発明に係る空調システムは、第３発明の空調システムであって、複数の空調室内機がそれぞれ異なる位置に設置されている。また、データ記憶部は、複数の空調室内機と、複数の空調室内機それぞれが有している受信機と、を対応付けて格納している。空調制御部は、発信機との関係で予め定められた複数の受信機のうちのいずれかが発信機からの特定信号を受信した場合に、特定信号を受信した受信機を有する空調室内機について空調設定制御を行う。
【００１０】
ここでは、発信機との関係で予め定められた複数の受信機のうちのいずれかが当該発信機からの特定信号を受信した場合に、当該受信した受信機を内蔵している空調室内機について空調設定制御を行うことができる。また、予め定められた受信機を内蔵する空調室内機は、それぞれ異なる位置に配置されて、それぞれ異なるエリアを対象として空調を行う。
【００１１】
これにより、１人の所定移動体に対して異なる位置に配置されている複数の空調室内機を用いて空調設定制御を行うことが可能になる。
また、例えば、本第４発明と第３発明とを両立させた場合には、各空調室内機が設置されているそれぞれの異なる場所においても、所定移動体の好む空調環境を自動的に提供することが可能になる。
【００１２】
第５発明に係る空調システムは、第４発明の空調システムであって、データ記憶部は、複数の空調室内機の設置位置に関する位置データを空調室内機の有する受信機と対応付けて格納している。空調制御部は、所定移動体によって携帯されている発信機からの特定信号を受信した受信機の位置を、データ記憶部に格納されている位置データに基づいて特定する。
【００１３】
ここでは、単に受信機と空調室内機との関係を記憶しておくだけでなく、複数の空調室内機に内蔵されている受信機の内蔵されている空調室内機８０の位置データを受信機毎に格納している。これにより、発信機からの特定信号を受信した場合に、位置データを参照することで、所定移動体がどの位置に存在しているのかを把握することが可能になる。
【００１４】
第６発明に係る空調システムは、第４発明または第５発明のいずれかの空調システムであって、所定移動体は、自発的な移動を行わないモノである。また、データ記憶部は、モノに付されている発信機が発信する特定信号と、特定信号を受信する受信機と、を対応付けて格納している。
ここでは、自発的に移動するはずのないモノに発信機を付しておき、この発信機から発信される特定信号と、当該特定信号を受信する受信機と、を対応付けてデータ記憶部に格納している。これにより、当該受信機が対応付けられている当該発信機からの特定信号を受信しなくなった場合に、当該モノが対象となる受信エリアの外部に持ち出されたことを検知することができる。したがって、モノの盗難状況を把握することが可能になる。
【発明の効果】
【００１５】
第１発明に係る空調システムでは、所定移動体それぞれを特定して空調自動制御を行うことが可能になる。
第２発明に係る空調システムでは、不必要な空調運転制御が行われることを回避することが可能になる。
第３発明に係る空調システムでは、各個人それぞれが望む空調環境を提供することが可能になる。
【００１６】
第４発明に係る空調システムでは、１人の所定移動体に対して異なる位置に配置されている複数の空調室内機を用いて空調設定制御を行うことが可能になる。
第５発明に係る空調システムでは、発信機からの特定信号を受信した場合に、位置データを参照することで、所定移動体がどの位置に存在しているのかを把握することが可能になる。
【００１７】
第６発明に係る空調システムでは、当該受信機が対応付けられている当該発信機からの特定信号を受信しなくなった場合に、当該モノが対象となるエリアの外部に持ち出されたことを検知することができる。したがって、モノの盗難状況を把握することが可能になる。
【発明を実施するための最良の形態】
【００１８】
＜発明の概略＞
本発明では、人間やモノ等の所定移動体毎の空調制御を行うための空調システムを提供する。本発明の空調システムでは、発信機が利用者に付される。そして、空調室内機に発信機からの特定信号を受信する受信機が内蔵され、受信機の受信範囲とその受信機を内蔵する空調室内機の空調エリアとを一致させる。そして、空調制御部において、受信機と発信機とを対応付けた情報を有しており、各受信機が予め定められた発信機からの特定信号を受信しない限り内蔵している空調室内機が稼働しないように空調設定制御を行う。これにより、不必要な運転を抑えて、利用者毎の空調自動制御を実現できる点に特徴がある。
【００１９】
以下、本発明の空調システムについて、具体的に説明する。
＜空調システム１００の構成＞
本発明の一実施形態が採用された空調システム１００は、図１に示すように、第１エリアＡ１、第２エリアＡ２、第３エリアＡ３の複数のエリアを有する建物５に対して適用され、各エリア毎に空調室内機８０による空調制御が行われるシステムである。ここで、エリアＡ１、Ａ２、Ａ３毎に、当該エリアを対象として空調を行う１台の空調室内機８０（８１、８２、８３）が設置されている。そして、各利用者１０にはＲＦＩＤタグ３０が付され、各空調室内機８０にはタグリーダー４０が内蔵され、いわゆるパーソナル空調制御を行うことができるようになっている。
【００２０】
この空調システムは、図２のブロック構成図に示すように、主として、ＲＦＩＤタグ３０と、空調室内機８０と、パーソナル空調コントローラ７０と、表示装置７７とから構成されている。
ＲＦＩＤタグ３０（３１、３２、３３、３４）は、第１エリアＡ１や、第２エリアＡ２や、第３エリアＡ３内に入ってくる利用者１０に予め携帯させており、それぞれ固有の特定信号を発信する。なお、この特定信号は、タグリーダー４０（４１、４２、４３）によって受信される。
【００２１】
空調室内機８０（８１、８２、８３）は、図１に示すように、第１エリアＡ１、第２エリアＡ２、第３エリアＡ３の複数の異なるエリア毎の天井等の位置に配置され、各エリアを対象とした空調を行う。この空調室内機８０（８１、８２、８３）は、リーダー収納部８１（８１ａ、８２ａ、８３ａ）を有しており、このリーダー収納部８１において、上記ＲＦＩＤタグ３０からの特定信号を受信するタグリーダー４０（４１、４２、４３）を内蔵している。このように空調室内機８０に内蔵されているタグリーダー４０（４１、４２、４３）は、ＲＦＩＤタグ３０の特定信号を受信する。ここでの各タグリーダー４０（４１、４２、４３）が受信することができるエリアとしては、それぞれが内蔵されている空調室内機８０の空調対象とするエリアと同一のエリアである。なお、パーソナル空調コントローラ７０による空調室内機８０の運転制御によって、空調室内機８０の運転が停止される場合はあるが、このタグリーダー４０は常時受信可能状態となるように維持されている。
【００２２】
パーソナル空調コントローラ７０は、各空調室内機８０（タグリーダー４０）に対して接続されており、各空調室内機８０毎に個別に空調制御を実現させるためのコントローラであって、各空調室内機８０（タグリーダー４０）から送信されてくるデータの解析および制御等を行うために、主として、入力Ｉ／Ｆ部７１、データ記憶部７２および制御部７５等を有している。
【００２３】
入力Ｉ／Ｆ部７１は、タグリーダー４０が受信したＲＦＩＤタグ３０の特定信号についてのデータや、各空調室内機８０（８１、８２、８３）の運転状態データや、空調対象となるエリアの温度、湿度データ等を受信し、データ記憶部７２に記憶させたり、制御部７５に転送したりする。また、制御部７５によって判断された制御指令を各空調室内機８０（８１、８２、８３）に向けて送信したりする。
【００２４】
データ記憶部７２は、ＲＦＩＤ対応データＤ１と、個人別空調データＤ２と、リーダー位置データＤ３と、学習用履歴データＤ４等が格納されている。ＲＦＩＤ対応データＤ１は、複数のタグリーダー４０（４１、４２、４３）のデータと、当該タグリーダー４０が内蔵されている空調室内機８０の操作が許されているＲＦＩＤタグ３０の特定信号のデータと、を対応付けて格納しているデータである。さらに、ＲＦＩＤ対応データＤ１では、複数のタグリーダー４０（４１、４２、４３）のデータと、当該ＲＦＩＤタグ３０を所持させている利用者１０の個人データと、を対応付けて格納しているデータである。個人別空調データＤ２は、快適と感じる空調環境のデータが利用者１０毎に対応付けて格納されているデータである。例えば、各利用者１０毎に、快適と感じる温度データや湿度データ等が格納されている。リーダー位置データＤ３は、各空調室内機８０（８１、８２、８３）に内蔵されている各タグリーダー４０（４１、４２、４３）の位置に関するデータを、各タグリーダー４０毎に対応付けて格納されているデータである。学習用履歴データＤ４は、利用者１０が空調室内機８０のリモコン（図示せず）等で運転状況を変更させた場合等に、その変更を履歴として記憶して、利用者１０毎に適した空調環境情報を提供するため各利用者１０毎に対応付けられて格納されているデータである。
【００２５】
制御部７５は、入力Ｉ／Ｆ部７１からタグリーダー４０からの特定信号のデータが送られてきた場合に、データ記憶部７２のＲＦＩＤ対応データＤ１を参照することで、いずれの空調室内機８０（もしくは内蔵するタグリーダ４０）からの信号であるか判断する。さらに、このＲＦＩＤ対応データＤ１を参照することで、当該ＲＦＩＤタグ３０の特定信号のデータが、当該ＲＦＩＤタグ３０からの特定信号を受信したタグリーダー４０を内蔵する空調室内機８０の操作が許されている特定信号のデータであるか否か判断する。
【００２６】
ここで、当該ＲＦＩＤタグ３０からの特定信号のデータが、許されていないデータであると判断した場合には、制御部７５は、その受信したタグリーダー４０を内蔵する空調室内機８０の運転状況を変化させることなく、その特定信号の受信を無視する制御を行う。
一方、当該ＲＦＩＤタグ３０からの特定信号のデータが、許されているデータであると判断した場合には、制御部７５は、ＲＦＩＤ対応データＤ１を参照することで、当該ＲＦＩＤタグ３０が付されている利用者１０を特定する。そして、制御部７５は、個人別空調データＤ２を参照することで、特定された利用者１０が快適に感じる空調環境のデータを読み出して、入力Ｉ／Ｆ部７１を介して、当該空調室内機８０にその空調環境を実現させるように制御指令を送信する。なお、制御部７５は、ここでの制御指令に学習用履歴データＤ４の内容を反映させる。ここで、制御部７５は、このようにして送信された制御指令のデータを表示装置７７に対して送信することで、表示装置７７においてモニタ表示させる。
【００２７】
具体的には、ＲＦＩＤタグ対応データＤ１として、図１に示すように、利用者１１とＲＦＩＤタグ３１とが対応され、利用者１２とＲＦＩＤタグ３２とが対応され、利用者１３とＲＦＩＤタグ３３とが対応され、利用者１４とＲＦＩＤタグ３４とが対応されている場合において、タグリーダー４１とＲＦＩＤタグ３１とが対応され、タグリーダー４２とＲＦＩＤタグ３２とが対応され、タグリーダー４３とＲＦＩＤタグ３３とが対応され、タグリーダー４４（図示せず）とＲＦＩＤタグ３４とが対応されたデータとしてデータ記憶部７２に格納されている場合について説明する。
【００２８】
この場合に、図１で示す状態では、タグリーダー４１は対応するＲＦＩＤタグ３１からの特定信号を受信しており、また、タグリーダー４３は対応するＲＦＩＤタグ３３からの特定信号を受信している。このため、第１エリアＡ１においては利用者１１が好む空調設定制御が実現され、第３エリアＡ３においては利用者１２が好む空調設定制御が実現される。他方で、タグリーダー４２は、対応するＲＦＩＤタグ３２からの特定信号を受信出来ないので、例えＲＦＩＤタグ３４からの特定信号を受信したとしても、稼働せず、運転停止の状態を維持する。これにより、利用者１３および利用者１４については、自己の望む空調は行われない。これにより、不要な運転が行われることなく、各人個別に空調管理を行うことができる。
【００２９】
また、制御部７５は、入力Ｉ／Ｆ部７１からタグリーダー４０からの特定信号のデータが送られてきた場合に、リーダー位置データＤ３を参照することで、受信した特定信号を発信するＲＦＩＤタグ３０を携帯している利用者１０を特定し、その利用者１０が現在所在している位置を特定することができる。なお、制御部７５は、このようにして特定された位置データを表示装置７７に対して送信することで、表示装置７７においてモニタ表示させる。これにより、各利用者１０が建物５内に存在する場合に、どの位置にいるのかを把握することができる。
表示装置７７は、上述のようにパーソナル空調コントローラ７０の制御部７５と接続されており、制御部７５からの指令を受信して、パーソナル空調コントローラ７０によって個別空調を行っている状態をモニタ表示する。
【００３０】
＜本実施形態の空調システム１００の特徴＞
（１）
一般に、従来の空調システムでは、所定エリア内に単に人間が存在するというだけで自動的に空調運転が実行されてしまい、空調運転を必要としない場合であっても運転が行われるという問題がある。
【００３１】
これに対して、本実施形態における空調システム１００では、予め定められたＲＦＩＤタグ３０からの特定信号を受信した場合に空調設定制御を行っている。このため、予め定められたＲＦＩＤタグ３０を携帯する利用者１０が所定のエリア内に存在する時以外は空調室内機８０の運転を行わなかったり、所定のエリア所内に存在する場合にはその利用者１０の条件に沿った運転条件で空調を行うことができる。したがって、利用者１０毎に空調自動制御を行うことができる。
【００３２】
（２）
また、本実施形態における空調システム１００では、タグリーダー４０が、予め定められたＲＦＩＤタグ３０からの特定信号以外の信号を受信した場合には、制御部７５は、当該タグリーダー４０を内蔵している空調室内機８０の運転を停止したままにする制御を行っている。このため、予め設定された利用者１０以外の他人が所定エリア内Ａ４、Ａ５、Ａ６に侵入した場合であっても、この他人による不必要な空調運転制御を行わなくて済み、省エネ効果が得られる。
【００３３】
（３）
また、本実施形態における空調システム１００では、利用者１０毎の好みの空調環境に関するデータと、その好みの利用者１０が携帯するＲＦＩＤタグ３０が発信する特定信号とが、関連付けられた個人別空調データＤ２がデータ記憶部７２に格納されている。そして、制御部７５は、タグリーダー４０が予め定められたＲＦＩＤタグ３０からの特定信号を受信した場合に、データ記憶部７２において受信した特定信号と対応付けて格納されている個人別空調データＤ２に基づいて利用者１０の好む空調環境を提供できるように空調設定制御を行う。これにより、各個人それぞれが好む空調環境を実現できる。
【００３４】
＜他の実施形態＞
以上、本発明の一実施形態について説明したが、本発明は上記実施形態に限定されるものではなく、発明の要旨を逸脱しない範囲で種々の変更が可能である。
（Ａ）
上記実施形態の空調システム１００では、利用者１０に対して予めＲＦＩＤタグ３０を所持させて、パーソナル空調制御を行う空調システム１００を例に挙げて説明を行った。
【００３５】
しかし、本発明はこれに限定されるものではなく、ＲＦＩＤタグ３０は自発的に移動するはずのない特定のモノに付されていてもよい。
この場合には、例えば、自発的に移動するはずのないモノにＲＦＩＤタグ３０を付しておき、このＲＦＩＤタグ３０から発信される特定信号と、当該特定信号を受信するタグリーダー４０と、を対応付けてデータ記憶部７２に格納しておく。
【００３６】
これにより、当該タグリーダー４０が対応付けられている当該ＲＦＩＤタグ３０からの特定信号を受信しなくなった場合に、当該モノが対象となるエリアの外部に持ち出されたことを検知することができる。したがって、モノの盗難状況を把握することができる。
（Ｂ）
上記実施形態では、ＲＦＩＤタグ３０とタグリーダー４０とを用いた空調システム１００について例に挙げて説明した。
【００３７】
しかし、本発明はこれに限定されるものではなく、例えば、無線ＬＡＮを利用したタグと無線ＬＡＮのアクセスポイントとを用いた空調システムや、微弱無線（例えば３００ＭＨｚ程度）の発信機と微弱無線の受信機とを用いた空調システム等であってもよい。この場合であっても、上記実施形態と同様の効果を奏することができる。
また、上記実施形態におけるＲＦＩＤタグ３０の代わりに、例えば、ＰＨＳ、携帯電話、ＣＤＭＡ、衛星携帯電話等のような無線電話装置や、業務用やアマチュア用さらに特定小電力、微弱電力の無線機、赤外線や超音波等を用いた通信装置等の送信機能を有しているものを用いてもよい。
【００３８】
（Ｃ）
上記実施形態では、空調システム１００のデータ記憶部７２において、ＲＦＩＤ対応データＤ１、個人別空調データＤ２、リーダー位置データＤ３、学習用履歴データＤ４が格納されている空調システム１００について例に挙げて説明した。
しかし、本発明はこれに限定されるものではなく、上記データ記憶部７２において、ＲＦＩＤタグ３０が付される利用者１０毎のスケジュールデータを格納しておくようにしてもよい。
【００３９】
この場合には、パーソナル空調コントローラ７０は、データ記憶部７２に格納されているスケジュールデータに基づいて、利用者１０毎の空調設定制御をよりいっそう向上させることができる。例えば、ある利用者１０のスケジュールにおいて、外出した後１５時に自分の席に戻るというスケジュールが予定されてデータ記憶部７２に格納されている場合には、１５時よりも少し早めに空調室内機８０を稼働させておいて、その利用者１０が着席する１５時には、その利用者１０にとって快適な空調環境が実現されているように制御することができる。
【００４０】
（Ｄ）
上記実施形態では、利用者１０の１人に対して１つの空調室内機８０が用いられる空調システム１００について例に挙げて説明した。
しかし、本発明はこれに限定されるものではなく、利用者１０の１人に対して複数の空調室内機８０が利用される空調システム１００であってもよい。例えば、複数の空調室内機８０がそれぞれ異なる位置に設置されており、データ記憶部７２が各空調室内機８０と各空調室内機８０が有しているタグリーダー４０とを対応付けて格納しておく。そして、１つのＲＦＩＤタグ３０に関して、当該ＲＦＩＤタグ３０が付される利用者１０が所在する可能性のあるエリアに対応する複数のタグリーダー４０を予め設定しておく。これにより、制御部７５は、ＲＦＩＤタグ３０と予め設定された複数のタグリーダー４０について、当該ＲＦＩＤタグ３０からの特定信号を予め定められたタグリーダー４０のいずれかが受信した場合に、特定信号を受信したタグリーダー４０を有する空調室内機８０に空調設定制御を行い、そのＲＦＩＤタグ３０の利用者１０が好む空調環境を提供できるようにしてもよい。したがって、利用者１０は、様々な場所に移動した場合であっても、行く先々で、利用者１０毎の快適な空調環境の提供を自動的に受けることができる。
【産業上の利用可能性】
【００４１】
本発明によれば、移動体を特定して空調自動制御を行うことが可能になるため、所定移動体毎の条件に合った空調を行うための空調システム等への適用が特に有用である。
【図面の簡単な説明】
【００４２】
【図１】本発明の一実施形態に係る空調システムの概略構成図。
【図２】本発明の一実施形態に係る空調システムのブロック構成図。
【符号の説明】
【００４３】
１０    利用者（所定移動体）
３０    ＲＦＩＤタグ（発信機）
４０    タグリーダー（受信機）
７２    データ記憶部
７５    制御部（空調制御部）
８０    空調室内機
８０ａ    リーダー収納部
１００    空調システム
Ａ１    対象エリア（第１エリア）
Ａ２    対象エリア（第２エリア）
Ａ３    対象エリア（第３エリア）
【図１】
2006342978.tif 000003
【図２】
2006342978.tif 000004